(57)【要約】【課題】ヘルメットに配置した位置からずれることがなく、外装部材を安定して取り付けることができるヘルメット用外装部材保持具を提供することを目的とする。【解決手段】帽体１１の一方の側部に配置する第１保持具と、帽体１１の他方の側部に配置する第２保持具とからなり、第１保持具は、帽体１１の一方の側部に有する内装材固定用係止具１３と係合する内面係合部２２を備える内片２１と、一方のバンド１５を係止する外面係止部２９を備える外片２８と、内片２１の下端と外片２８の下端とを連結して帽体１１の縁部１２に当接させる連結片３１とを備え、第２保持具は、帽体１１の他方の側部に有する内装材固定用係止具１３と係合する内面係合部２２を備える内片２１と、他方のバンド１５を係止する外面係止部２９を備える外片２８と、内片２１の下端と外片２８の下端とを連結して帽体１１の縁部１２に当接させる連結片３１とを備える。【選択図】      図１
2018087401.tif 000002
【特許請求の範囲】
【請求項１】
帽体の縁部の内面に複数の内装材固定用係止具を有するヘルメットに装着して、前記帽体の外面に、両側にバンドを有する外装部材を取り付けるヘルメット用外装部材保持具であって、
前記帽体の一方の側部に配置する第１保持具と、
前記帽体の他方の側部に配置する第２保持具と
からなり、
前記第１保持具は、
前記帽体の一方の前記側部に有する前記内装材固定用係止具と係合する内面係合部を備える内片と、
一方の前記バンドを係止する外面係止部を備える外片と、
前記内片の下端と前記外片の下端とを連結して前記帽体の前記縁部に当接させる連結片と
を備え、
前記第２保持具は、
前記帽体の他方の前記側部に有する前記内装材固定用係止具と係合する内面係合部を備える内片と、
他方の前記バンドを係止する外面係止部を備える外片と、
前記内片の下端と前記外片の下端とを連結して前記帽体の前記縁部に当接させる連結片と
を備えることを特徴とするヘルメット用外装部材保持具。
【請求項２】
前記内片は、前記外片よりも横幅を長く形成し、前記外片と対面しない位置に前記内面係合部を備えることを特徴とする請求項１に記載のヘルメット用外装部材保持具。
【請求項３】
前記内装材固定用係止具が、円柱部と、前記円柱部よりも大径の頭部とからなる鋲であり、
前記内面係合部が、第１開口と、第２開口と、前記第１開口と前記第２開口をつなぐ通路とからなる開口部であり、
前記第１開口は、前記頭部よりも大径であり、
前記第２開口は、前記頭部よりも小径であり、
前記通路は、前記円柱部よりも狭幅であることを特徴とする請求項１又は請求項２に記載のヘルメット用外装部材保持具。
【請求項４】
前記内装材固定用係止具が、一対の突起部からなるブラケットであり、
前記内面係合部が、一対の前記突起部の間に配置されるブラケット係止片を有することを特徴とする請求項１又は請求項２に記載のヘルメット用外装部材保持具。
【請求項５】
前記ブラケット係止片には、少なくとも一方の前記突起部の端部に当接する延出部を有することを特徴とする請求項４に記載のヘルメット用外装部材保持具。
【請求項６】
前記内装材固定用係止具の前記突起部の端部が、前記帽体内面と連接する立ち上げ片を有するものであり、
前記ブラケット係止片には、前記立ち上げ片が位置できる凹部を有することを特徴とする請求項５に記載のヘルメット用外装部材保持具。
【請求項７】
前記外面係止部には、少なくとも２本のスリットを有し、前記スリットはそれぞれの角度を異ならせて形成されていることを特徴とする請求項１から請求項６のいずれかに記載のヘルメット用外装部材保持具。
【発明の詳細な説明】
【技術分野】
【０００１】
本発明は、ヘルメットに外装部材を取り付けて保持するヘルメット用外装部材保持具に関する。
【背景技術】
【０００２】
工事現場や工場などにおいては、例えばライトなどの外装部材をヘルメットに取り付けて作業することがある。
そして、外装部材をヘルメットに取り付ける方法としては、ゴムバンドを用いる方法が知られている（非特許文献１）。
また、ヘルメットに着脱可能なクリップを用いて外装部材を取り付ける方法もある。例えば、特許文献１には、板状本体とヘルメットの外壁との間に保護具の装着バンドを挿入するようにした挿入空間を設け、板状本体の下部に、ヘルメットの下周端を挟持するようにした挟持部を設け、板状本体の上部に、ヘルメットの外壁に当接するようにした当接部を設け、さらに挟持部にヘルメットの下周端と当接して弾性変形する隆起部を設けたヘルメットの保護用クリップが記載されている。
【先行技術文献】
【特許文献】
【０００３】
【特許文献１】特開２０１１−２４６８６０号公報
【非特許文献】
【０００４】
【非特許文献１】ＬＥＤヘッドライトＧＴＲ−９３１Ｈ  総合カタログＮｏ．２３−Ｃ、株式会社谷沢製作所、ｐ２５
【発明の概要】
【発明が解決しようとする課題】
【０００５】
非特許文献１に記載のゴムバンドは、使用しているうちにゴムが伸びてしまうのでゴムバンドの交換が必要となる。また、ヘルメットに表記された社名や個人名等がゴムバンドの下に隠れてしまう場合がある。
【０００６】
特許文献１に記載のヘルメットの保護用クリップは、主に弾性力によってヘルメットに取り付けられた状態が保持されるものであり、ヘルメットと固着されていないため、保持力が十分とはいえない。
【０００７】
本発明では、ヘルメットに配置した位置からずれることがなく、外装部材を安定して取り付けることができ、かつ、コンパクトに形成されたヘルメット用外装部材保持具を提供することを目的とする。
【課題を解決するための手段】
【０００８】
請求項１記載の本発明のヘルメット用外装部材保持具は、帽体の縁部の内面に複数の内装材固定用係止具を有するヘルメットに装着して、前記帽体の外面に、両側にバンドを有する外装部材を取り付けるヘルメット用外装部材保持具であって、前記帽体の一方の側部に配置する第１保持具と、前記帽体の他方の側部に配置する第２保持具とからなり、前記第１保持具は、前記帽体の一方の前記側部に有する前記内装材固定用係止具と係合する内面係合部を備える内片と、一方の前記バンドを係止する外面係止部を備える外片と、前記内片の下端と前記外片の下端とを連結して前記帽体の前記縁部に当接させる連結片とを備え、前記第２保持具は、前記帽体の他方の前記側部に有する前記内装材固定用係止具と係合する内面係合部を備える内片と、他方の前記バンドを係止する外面係止部を備える外片と、前記内片の下端と前記外片の下端とを連結して前記帽体の前記縁部に当接させる連結片とを備えることを特徴とする。
請求項２記載の本発明は、請求項１に記載のヘルメット用外装部材保持具において、前記内片は、前記外片よりも横幅を長く形成し、前記外片と対面しない位置に前記内面係合部を備えることを特徴とする。
請求項３記載の本発明は、請求項１又は請求項２に記載のヘルメット用外装部材保持具において、前記内装材固定用係止具が、円柱部と、前記円柱部よりも大径の頭部とからなる鋲であり、前記内面係合部が、第１開口と、第２開口と、前記第１開口と前記第２開口をつなぐ通路とからなる開口部であり、前記第１開口は、前記頭部よりも大径であり、前記第２開口は、前記頭部よりも小径であり、前記通路は、前記円柱部よりも狭幅であることを特徴とする。
請求項４記載の本発明は、請求項１又は請求項２に記載のヘルメット用外装部材保持具において、前記内装材固定用係止具が、一対の突起部からなるブラケットであり、前記内面係合部が、一対の前記突起部の間に配置されるブラケット係止片を有することを特徴とする。
請求項５記載の本発明は、請求項４に記載のヘルメット用外装部材保持具において、前記ブラケット係止片には、少なくとも一方の前記突起部の端部に当接する延出部を有することを特徴とする。
請求項６記載の本発明は、請求項５に記載のヘルメット用外装部材保持具において、前記内装材固定用係止具の前記突起部の端部が、前記帽体内面と連接する立ち上げ片を有するものであり、前記ブラケット係止片には、前記立ち上げ片が位置できる凹部を有することを特徴とする。
請求項７記載の本発明は、請求項１から請求項６のいずれかに記載のヘルメット用外装部材保持具において、前記外面係止部には、少なくとも２本のスリットを有し、前記スリットはそれぞれの角度を異ならせて形成されていることを特徴とする。
【発明の効果】
【０００９】
本発明によれば、ヘルメットに配置した位置からずれることがなく、外装部材を安定して取り付けることができ、かつ、コンパクトに形成されたヘルメット用外装部材保持具を実現することができる。
【図面の簡単な説明】
【００１０】
【図１】（ａ）は本発明の一実施例によるヘルメット用外装部材保持具の装着を示すヘルメットの内面側の斜視図、（ｂ）は同ヘルメット用外装部材保持具を用いて外装部材を取り付けた状態を示すヘルメットの外面側の斜視図
【図２】（ａ）は同ヘルメット用外装部材保持具の装着を示す他のヘルメットの内面側の斜視図、（ｂ）は同ヘルメット用外装部材保持具を用いて外装部材を取り付けた状態を示す他のヘルメットの外面側の斜視図
【図３】（ａ）は同ヘルメット用外装部材保持具の一方の保持具を示す正面図、（ｂ）は（ａ）の底面図、（ｃ）は（ａ）の背面図、（ｄ）は（ａ）のＡ−Ａ’断面図、（ｅ）は（ａ）の右側面図
【図４】同ヘルメット用外装部材保持具の他方の保持具を示す正面図
【図５】同ヘルメット用外装部材保持具を内装材固定用係止具がブラケットであるヘルメットに使用する方法を説明する図
【図６】同ヘルメット用外装部材保持具を内装材固定用係止具が鋲であるヘルメットに使用する方法を説明する図
【図７】（ａ）は本発明の他の実施例によるヘルメット用外装部材保持具の一方の保持具を示す正面図、（ｂ）は（ａ）の背面図
【図８】（ａ）は同ヘルメット用外装部材保持具を用いて外装部材を取り付けた状態を示すヘルメットの外面側の斜視図、（ｂ）は同ヘルメット用外装部材保持具の一方の保持具へのバンドの装着方法を示す図である。
【発明を実施するための形態】
【００１１】
本発明の第１の実施の形態によるヘルメット用外装部材保持具は、帽体の一方の側部に配置する第１保持具と、帽体の他方の側部に配置する第２保持具とからなり、第１保持具は、帽体の一方の側部に有する内装材固定用係止具と係合する内面係合部を備える内片と、一方のバンドを係止する外面係止部を備える外片と、内片の下端と外片の下端とを連結して帽体の縁部に当接させる連結片とを備え、第２保持具は、帽体の他方の側部に有する内装材固定用係止具と係合する内面係合部を備える内片と、他方のバンドを係止する外面係止部を備える外片と、内片の下端と外片の下端とを連結して帽体の縁部に当接させる連結片とを備えるものである。
本実施の形態によれば、帽体の一方の側部に配置する第１保持具によって一方のバンドを係止し、帽体の他方の側部に配置する第２保持具によって他方のバンドを係止することで、外装部材を帽体の外面に取り付けることができる。また、本実施の形態によれば、第１保持具及び第２保持具は、それぞれの内片に有する内面係合部によって、帽体の縁部の内面に配置された内装材固定用係止具と係合するため、位置がずれることがない。また、内装材固定用係止具は、一般的には帽体の内面に左右対称に複数有しているものなので、例えば、帽体の前寄りの側部に有する内装材固定用係止具を用いて第１保持具及び第２保持具を取り付けることで、外装部材を帽体の前部に安定して取り付けることができ、帽体の後寄りの側部に有する内装材固定用係止具を用いて第１保持具及び第２保持具を取り付けることで、外装部材を帽体の後部に安定して取り付けることができる。
【００１２】
本発明の第２の実施の形態は、第１の実施の形態によるヘルメット用外装部材保持具において、内片は、外片よりも横幅を長く形成し、外片と対面しない位置に内面係合部を備えるものである。
本実施の形態によれば、ヘルメットの構成部材などが取り付けの障害となる場合であっても、その障害物をかわして取り付けることができる。
【００１３】
本発明の第３の実施の形態は、第１又は第２の実施の形態によるヘルメット用外装部材保持具において、内装材固定用係止具が、円柱部と、円柱部よりも大径の頭部とからなる鋲であり、内面係合部が、第１開口と、第２開口と、第１開口と第２開口をつなぐ通路とからなる開口部であり、第１開口は、頭部よりも大径であり、第２開口は、頭部よりも小径であり、通路は、円柱部よりも狭幅であるものである。
本実施の形態によれば、内装材固定用係止具が鋲である場合にも対応することができる。
【００１４】
本発明の第４の実施の形態は、第１又は第２の実施の形態によるヘルメット用外装部材保持具において、内装材固定用係止具が、一対の突起部からなるブラケットであり、内面係合部が、一対の突起部の間に配置されるブラケット係止片を有するものである。
本実施の形態によれば、内装材固定用係止具がブラケットである場合にも対応することができる。
【００１５】
本発明の第５の実施の形態は、第４の実施の形態によるヘルメット用外装部材保持具において、ブラケット係止片には、少なくとも一方の突起部の端部に当接する延出部を有するものである。
本実施の形態によれば、第１保持具及び第２保持具の取付け姿勢をより安定させることができ、位置がずれることがない。
【００１６】
本発明の第６の実施の形態は、第５の実施の形態によるヘルメット用外装部材保持具において、内装材固定用係止具の突起部の端部が、帽体内面と連接する立ち上げ片を有するものであり、ブラケット係止片には、立ち上げ片が位置できる凹部を有するものである。
本実施の形態によれば、内装材固定用係止具の突起部の端部が立ち上げ片を有するものである場合には、さらに取付け姿勢を安定させることができ、位置がずれることがない。
【００１７】
本発明の第７の実施の形態は、第１から第６のいずれかの実施の形態によるヘルメット用外装部材保持具において、外面係止部には、少なくとも２本のスリットを有し、スリットはそれぞれの角度を異ならせて形成されているものである。
本実施の形態によれば、第１保持具及び第２保持具の取り付け位置に応じて外装部材のバンドを通すスリットを選択でき、第１保持具、第２保持具、及びバンドに無理な力がかかることを防止できる。
【実施例】
【００１８】
以下、本発明の一実施例によるヘルメット用外装部材保持具について説明する。
【００１９】
図１（ａ）は本実施例によるヘルメット用外装部材保持具の装着を示すヘルメットの内面側の斜視図、図１（ｂ）は同ヘルメット用外装部材保持具を用いて外装部材を取り付けた状態を示すヘルメットの外面側の斜視図である。
ヘルメット１０は、帽体１１の縁部１２の内面に複数の内装材固定用係止具１３を有している。内装材固定用係止具１３は、ハンモックなどの内装材を帽体１１に固定するためのものであり、図１ではブラケット１３を示している。ブラケット１３は、帽体１１の内面に、左右対称に複数配置され、図１に示す帽体１１は４つ（４組）のブラケット１３を有している。それぞれのブラケット１３は、一対の突起部１３ａ、１３ｂから構成される。
ヘルメット用外装部材保持具は、一方の保持具と他方の保持具とで一対で構成される。
図１では、一方の保持具２０を第１保持具とした場合を示しており、第１保持具（一方の保持具２０）は帽体１１の一方の側部に配置する。なお、他方の保持具を第２保持具とし、第２保持具（他方の保持具）は帽体１１の他方の側部に配置するが、図示を省略している。また、外装部材１４としてＬＥＤランプを示し、ＬＥＤランプ１４は、両側にバンド１５を有している。
ＬＥＤランプ１４の一方のバンド１５は、第１保持具（一方の保持具２０）によって係止され、ＬＥＤランプ１４の他方のバンド１５は、図示を省略している第２保持具（他方の保持具）によって係止され、外装部材１４は、帽体１１の外面に装着される。
【００２０】
図２（ａ）は本実施例によるヘルメット用外装部材保持具の装着を示す他のヘルメットの内面側の斜視図、図２（ｂ）は同ヘルメット用外装部材保持具を用いて外装部材を取り付けた状態を示す他のヘルメットの外面側の斜視図である。
図２では、内装材固定用係止具１３として鋲１３を示している。鋲１３は、帽体１１の内面に、左右対称に複数配置され、図２に示す帽体１１は８つの鋲１３を有している。それぞれの鋲１３は、円柱部と、円柱部よりも大径の頭部とからなる。
図２では、他方の保持具４０を第１保持具とした場合を示している。なお、一方の保持具２０を第２保持具としているが、図示を省略している。
図１の場合と同様に、ＬＥＤランプ１４の一方のバンド１５は、第１保持具（他方の保持具４０）によって係止され、ＬＥＤランプ１４の他方のバンド１５は、図示を省略している第２保持具（一方の保持具２０）によって係止され、外装部材１４は、帽体１１の外面に装着される。
【００２１】
図３（ａ）は本実施例による一方の保持具を示す正面図、図３（ｂ）は図３（ａ）の底面図、図３（ｃ）は図３（ａ）の背面図、図３（ｄ）は図３（ａ）のＡ−Ａ’断面図、図３（ｅ）は図３（ａ）の右側面図である。
【００２２】
一方の保持具２０は、図３に示すように、内片２１と、外片２８と、連結片３１とを備えている。
内片２１は、帽体１１の内装材固定用係止具１３と係合する内面係合部２２を備えている。内面係合部２２は、一方の保持具２０を第１保持具として用いる場合には帽体１１の一方の側部に有する内装材固定用係止具１３と係合し、一方の保持具２０を第２保持具として用いる場合には帽体１１の他方の側部に有する内装材固定用係止具１３と係合する。
外片２８は、バンド１５を係止する外面係止部２９を備えている。外面係止部２９は、一方の保持具２０を第１保持具として用いる場合には一方のバンド１５を係止し、一方の保持具２０を第２保持具として用いる場合には他方のバンド１５を係止する。
連結片３１は、内片２１の下端と外片２８の下端とを連結している。
内面係合部２２は、一方の端部に延出部２６が設けられたブラケット係止片２５と、開口部２３とを有している。開口部２３は、第１開口２３ａと、第１開口２３ａよりも連結片３１側に位置する第２開口２３ｂと、第１開口２３ａと第２開口２３ｂをつなぐ通路２３ｃとからなる。
第１開口２３ａの直径は、鋲１３の頭部の直径よりも大きい。第２開口２３ｂの直径は、鋲１３の頭部の直径よりも小さく、鋲１３の円柱部の直径とほぼ同じである。通路２３ｃの幅は、鋲１３の円柱部の直径よりも狭い。このように開口部２３は、第１開口２３ａと第１開口２３ａよりも小径の第２開口２３ｂとによってダルマ状に形成されており、第１開口２３ａに鋲１３の頭部を通した後、鋲１３を第２開口２３ｂに位置させることによって、鋲１３に開口部２３を係合できる。なお、図３（ｃ）に示すように、第１開口２３ａの一部を舌片２４によって閉塞してもよい。舌片２４を設けた場合、舌片２４の弾性力によって第１開口２３ａからの鋲１３の頭部の抜けが抑制される。
ブラケット係止片２５は、ブラケット１３と係合する。開口部２３は、内装材固定用係止具１３としてブラケットの代わりに鋲１３が用いられている場合に、鋲１３と係合する。
内面係合部２２として、ブラケット係止片２５と開口部２３とを有することで、ブラケット１３を備えたヘルメット及び鋲１３を備えたヘルメットのいずれでも用いることができる。
なお、開口部２３の第１開口２３ａは鋲１３の頭部よりも大径であるが、第１開口２３ａと第２開口２３ｂとの間には鋲１３の円柱部よりも狭幅の通路２３ｃが設けてあるため、鋲１３を第２開口２３ｂに位置させることによって、第１開口２３ａからの鋲１３の抜けが抑制される。また、ブラケット係止片２５には凹部２７を設けている。
また、内片２１は、外片２８よりも横幅が長く形成され、外片２８と対面しない位置にブラケット係止片２５を有しているので、ブラケット１３が例えばヘルメット１０のつば近傍にあってつばが取り付けの障害になるような場合において、つばをかわして取り付けることができる。
外片２８は、外面係止部２９に角度の異なる２本のスリット３０を有しており、一方又は他方のバンド１５を係止する。なお、スリット３０は、本実施例においては第１の角度３０ａと第２の角度３０ｂの２本のスリット３０が途中で交錯してＶ字状に形成されているが、交錯させずにそれぞれ独立形成しても良いし、３本以上の異なる角度のスリット３０を形成しても良い。使用者は、一方の保持具２０の取り付け位置などに応じて、いずれかのスリット３０を選択してＬＥＤランプ１４の一方又は他方のバンド１５を係止する。
連結片３１は、内片２１の下端と外片２８の下端とを連結し、使用時において帽体１１の縁部１２に当接する。
【００２３】
図４は本実施例による他方の保持具を示す正面図である。
【００２４】
他方の保持具４０は、図４に示すように、一方の保持具２０とは左右違いに、内片２１と、外片２８と、連結片３１とを備えている。
内片２１は、帽体１１に有する内装材固定用係止具１３と係合する内面係合部２２を備えている。内面係合部２２は、他方の保持具４０を第１保持具として用いる場合には帽体１１の一方の側部に有する内装材固定用係止具１３と係合し、他方の保持具４０を第２保持具として用いる場合には帽体１１の他方の側部に有する内装材固定用係止具１３と係合する。
外片２８は、バンド１５を係止する外面係止部２９を備えている。外面係止部２９は、他方の保持具４０を第１保持具として用いる場合には一方のバンド１５を係止し、他方の保持具４０を第２保持具として用いる場合には他方のバンド１５を係止する。
連結片３１は、内片２１の下端と外片２８の下端とを連結している。
内面係合部２２は、一方の端部に延出部２６が設けられたブラケット係止片２５を有している。なお、一方の保持具２０と同様に、第１開口２３ａと、第１開口２３ａよりも連結片３１側に位置する第２開口２３ｂと、第１開口２３ａと第２開口２３ｂをつなぐ通路２３ｃとからなり、舌片２４によって一部が閉塞された開口部２３も有しているが、図示を省略している。
ブラケット係止片２５は、ブラケット１３と係合する。開口部２３は、内装材固定用係止具１３としてブラケットの代わりに鋲１３が用いられている場合に、鋲１３と係合する。
内面係合部２２として、ブラケット係止片２５と開口部２３とを有することで、ブラケット１３を備えたヘルメット及び鋲１３を備えたヘルメットのいずれでも用いることができる。
なお、開口部２３の第１開口２３ａは鋲１３の頭部よりも大径であるが、第１開口２３ａと第２開口２３ｂとの間には鋲１３の円柱部よりも狭幅の通路２３ｃが設けてあるため、鋲１３を第２開口２３ｂに位置させることによって、第１開口２３ａからの鋲１３の抜けが抑制される。また、ブラケット係止片２５には凹部２７を設けている。
また、内片２１は、外片２８よりも横幅が長く形成され、外片２８と対面しない位置にブラケット係止片２５を有しているので、ブラケット１３が例えばヘルメット１０のつば近傍にあってつばが取り付けの障害になるような場合において、つばをかわして取り付けることができる。
外片２８は、外面係止部２９に角度の異なる２本のスリット３０を有しており、一方又は他方のバンド１５を係止する。なお、スリット３０は、本実施例においては第１の角度３０ａと第２の角度３０ｂの２本のスリット３０が途中で交錯してＶ字状に形成されているが、交錯させずにそれぞれ独立形成しても良いし、３本以上の異なる角度のスリット３０を形成しても良い。使用者は、他方の保持具４０の取り付け位置などに応じて、いずれかのスリット３０を選択してＬＥＤランプ１４の一方又は他方のバンド１５を係止する。
連結片３１は、内片２１の下端と外片２８の下端とを連結し、使用時において帽体１１の縁部１２に当接する。
【００２５】
ここで、一方の保持具２０及び他方の保持具４０は、ＡＢＳ樹脂製又は金属製とすることもできるが、ある程度弾力性を有することで取り付け性が良くなるため、例えばポリエチレンを射出成形して製作することが好ましい。
【００２６】
次に、図５及び図６を用いて使用方法を具体的に説明する。
【００２７】
図５は内装材固定用係止具がブラケットであるヘルメットに使用する方法を説明する図である。
前述のように、帽体１１の一方の側部には第１保持具が配置され、帽体１１の他方の側部には第２保持具が配置されるが、図５においては、ヘルメット１０のつばをかわすために、第１保持具に一方の保持具２０を用いる。なお、図示はしないが第２保持具には他方の保持具４０を用いる。
図５（ａ）は第１保持具（一方の保持具２０）がヘルメットに装着される前の状態を示している。
まず、一方の前側部に配置されたブラケット１３には第１保持具（一方の保持具２０）のブラケット係止片２５を係合させる。すると、図５（ｂ）に示すような状態となる。なお、ブラケット係止片２５が突起部１３ａ及び突起部１３ｂと当接することによってブラケット１３からの抜けは抑制され、更にブラケット１３の突起部１３ａ又は１３ｂの端部が帽体１１の内面と連接する立ち上げ片１３ｃを有するものである場合は、立ち上げ片１３ｃの一部が凹部２７に嵌入して強固に固定されるが、図５（ｃ）に示すように、その上から内装材１６を係合すると、より一層のブラケット１３からの抜け防止となる。同様にして他方の前側部に第２保持具（他方の保持具４０）を配置する。
次に、ＬＥＤランプ１４の一方のバンド１５を第１保持具（一方の保持具２０）の第１の角度３０ａのスリット３０に通し、面ファスナーで留める。同様にして他方のバンド１５を第２保持具（他方の保持具４０）に通し、面ファスナーで留める。すると、図１（ｂ）に示すような状態となって、ＬＥＤランプ１４の取り付けが完了する。この状態においては、第１保持具（一方の保持具２０）は一方のバンド１５によって前方に引っ張られ、第２保持具（他方の保持具４０）は他方のバンド１５によって前方に引っ張られるが、連結片３１が帽体１１の縁部１２に当接されているので、帽体１１に対して上下のみならず周方向の位置がずれることがなく安定して取り付けることができる。さらに、延出部２６が突起部１３ａ又は突起部１３ｂに当接すること、及び凹部２７が立ち上げ片１３ｃに嵌合することによっても揺動を抑えている。
【００２８】
図６は内装材固定用係止具が鋲であるヘルメットに使用する方法を説明する図である。
前述のように、帽体１１の一方の側部には第１保持具が配置され、帽体１１の他方の側部には第２保持具が配置されるが、図６においては、ヘルメット１０のつばをかわす必要がないため、第１保持具に他方の保持具４０を用いる。なお、図示はしないが第２保持具に一方の保持具２０を用いる。このように、状況に応じて一方の保持具２０と他方の保持具４０の取り付け位置を付け替えることができる。すなわち、それぞれが第１保持具としても第２保持具としても用いることができる。
図６（ａ）は第１保持具（他方の保持具４０）がヘルメットに装着される前の状態を示している。
まず、一方の前側部に配置された鋲１３に第１保持具（他方の保持具４０）の開口部２３の第１開口２３ａを通し、第１保持具を帽体１１の頭頂部側に押し込んで通路２３ｃを経由して第２開口２３ｂに鋲１３を位置させることにより、鋲１３に開口部２３を係合させる。すると、図６（ｂ）に示すような状態となる。なお、第２開口２３ｂに鋲１３を位置させることによって鋲１３の開口部２３からの抜けは抑制されるが、図６（ｃ）に示すように、その上から内装材１６を係合すると、より一層の開口部２３からの抜け防止となる。同様にして他方の前側部に第２保持具（一方の保持具２０）を配置する。
次に、ＬＥＤランプ１４の一方のバンド１５を第１保持具（他方の保持具４０）の第２の角度３０ｂのスリット３０に通して面ファスナーで留める。同様にして他方のバンド１５を第２保持具（一方の保持具２０）に通し、面ファスナーで留める。すると、図２に示すような状態となって、ＬＥＤランプ１４の取り付けが完了する。この状態においては、第１保持具（他方の保持具４０）は一方のバンド１５によって前方に引っ張られ、第２保持具（一方の保持具２０）は他方のバンド１５によって前方に引っ張られるが、連結片３１が帽体１１の縁部１２に当接されているので、位置がずれることがなく安定して取り付けることができる。
【００２９】
以上のように、一方の保持具２０及び他方の保持具４０を安定して取り付けることができるので、バンド１５には、ゴムバンドやシリコンバンドなど伸縮性を有するもののほか、伸縮性が無いものを使用することもできる。
また、バンド１５を帽体１１の全周にわたって配置する必要がないので、ヘルメット１０に表記された社名や個人名等の情報がバンド１５の下に隠れてしまうことが少なくなる。
【００３０】
なお、上記実施例においては、帽体１１の前部にＬＥＤランプ１４を取り付けたが、帽体１１の後寄りの側部に第１保持具及び第２保持具を配置すると、ＬＥＤランプ１４を帽体１１の後部に取り付けることができる。また、一方の保持具２０と他方の保持具４０を同じ側の前寄りの側部と後寄りの側部に配置すると、帽体１１の側部にＬＥＤランプ１４を取り付けることができる。
【００３１】
次に、本発明の他の実施例によるヘルメット用外装部材保持具について説明する。なお、上記した実施例と同一機能部材には同一符号を付して説明を省略する。
図７（ａ）は本実施例によるヘルメット用外装部材保持具の一方の保持具を示す正面図、図７（ｂ）は図７（ａ）の背面図である。
【００３２】
本実施例による一方の保持具２０の外片２８は、外面係止部２９に角度の異なる３本のスリット３０を有しており、一方又は他方のバンド１５を係止する。スリット３０は、第３の角度３０ｃと第４の角度３０ｄと第５の角度３０ｅの３本のスリット３０でＷ字状に形成されている。３本のスリット３０のうち中央にある第４の角度３０ｄのスリット３０は、ヘルメット１０に取り付けたときに長手方向が帽体１１の縁部１２に対して略垂直となる角度に形成されている。第３の角度３０ｃのスリット３０と第５の角度３０ｅのスリット３０は、第４の角度３０ｄのスリット３０を挟んで対称に形成されている。３本のスリット３０は、途中で交錯せずにそれぞれが独立して形成されている。
なお、本実施例による一方の保持具２０には、構成を簡略化するため第１開口２３ａに舌片２４を設けていない。
また、図示は省略するが、本実施例による他方の保持具４０は、図７に示す一方の保持具２０と左右違いに構成される。
【００３３】
図８（ａ）は他の実施例によるヘルメット用外装部材保持具を用いて外装部材を取り付けた状態を示すヘルメットの外面側の斜視図、図８（ｂ）は同ヘルメット用外装部材保持具の一方の保持具へのバンドの装着方法を示す図である。
帽体１１の一方の側部には第１保持具が配置され、帽体１１の他方の側部には第２保持具が配置されるが、図８（ａ）においては、ヘルメット１０のつばをかわすために、第１保持具に一方の保持具２０を用いる。また、図示はしないが第２保持具には他方の保持具４０を用いる。
なお、上記した実施例と同様に、ヘルメット１０のつばをかわす必要がない場合は、第１保持具に他方の保持具４０を用い、第２保持具に一方の保持具２０を用いることができる。すなわち、一方の保持具２０と他方の保持具４０は、それぞれが第１保持具としても第２保持具としても用いることができる。
【００３４】
本実施例による外装部材１４が有する両側のバンド１５は、ゴムバンドやシリコンバンドなど伸縮性を有するものである。特にシリコンバンドはゴムバンドよりも継続使用による伸縮性の劣化が少ないため好適である。バンド１５に伸縮性を持たせることで、外装部材１４をより安定して帽体１１に装着することができる。
外装部材１４を帽体１１に装着する際には、図８（ｂ）に示すように、一方のバンド１５を、帽体１１の一方の前側部に配置された第１保持具（一方の保持具２０）に、第３の角度３０ｃのスリット３０、第４の角度３０ｄのスリット３０、第５の角度３０ｅのスリット３０の順に通した後、前方へ折り返して再度第３の角度３０ｃのスリット３０に通す。同様にして他方のバンド１５を、帽体１１の他方の側部に配置された第２保持具（他方の保持具４０）に通す。すると、図８（ａ）に示すような状態となって、外装部材１４の取り付けが完了する。なお、一方の保持具２０及び他方の保持具４０には３本のスリット３０が形成されているため、抜け止め具や面ファスナー等を別途設けることなく、バンド１５を確実に係止することができる。
バンド１５は伸縮性を有するため、図８（ａ）に示す状態においては、第１保持具（一方の保持具２０）及び第２保持具（他方の保持具４０）はバンド１５によって上記した実施例よりも強く前方に引っ張られるが、連結片３１が帽体１１の縁部１２に当接されていることと、独立形成された３本のスリット３０によってバンド１５をしっかりと係止していることにより、帽体１１に対して位置がずれることがなく安定して取り付けることができる。また、バンド１５は、縁部１２に対して略平行な状態が保たれる。なお、内装材固定用係止具１３がブラケットの場合には、延出部２６が突起部１３ａ又は突起部１３ｂに当接すること、及び凹部２７が立ち上げ片１３ｃに嵌合することによっても揺動を抑えることができる。
【産業上の利用可能性】
【００３５】
本発明によれば、ヘルメットに配置した位置からずれることがなく、外装部材を安定して取り付けることができ、かつ、コンパクトに形成されたヘルメット用外装部材保持具を実現することができ、安全作業に寄与することができる。
【符号の説明】
【００３６】
１０  ヘルメット
１１  帽体
１２  縁部
１３  内装材固定用係止具（鋲又はブラケット）
１３ａ  突起部
１３ｂ  突起部
１３ｃ  立ち上げ片
１４  外装部材（ＬＥＤランプ）
１５  バンド
１６  内装材
２０  一方の保持具
２１  内片
２２  内面係合部
２３  開口部
２３ｃ  通路
２４  舌片
２５  ブラケット係止片
２６  延出部
２７  凹部
２８  外片
２９  外面係止部
３０  スリット
３０ａ  第１の角度
３０ｂ  第２の角度
３１  連結片
４０  他方の保持具
【図１】
2018087401.tif 000003
【図２】
2018087401.tif 000004
【図３】
2018087401.tif 000005
【図４】
2018087401.tif 000006
【図５】
2018087401.tif 000007
【図６】
2018087401.tif 000008
【図７】
2018087401.tif 000009
【図８】
2018087401.tif 000010